(57)【要約】      （修正有）【課題】針棒上下運動の１周期の間に刺繍布押え部材が刺繍布を押えている時間を長くすることができ、且つ刺繍布の押えを解除した後に刺繍布押え部材を所望の高さまで上昇させる。【解決手段】昇降可能な針棒４１と、刺繍布Ｗを押えるための刺繍布押え部材４３と、刺繍布押え部材を弾性部材４５を介して昇降可能に保持するホルダ部材４６と、刺繍布押え部材が刺繍布Ｗを押える押え位置と刺繍布Ｗの押えを解除する押え解除位置のいずれかに設定されるように、刺繍布押え部材を保持するホルダ部材の保持位置を手動で切り替えるための押え上げ操作レバー４８と、押え上げ操作レバーによるホルダ部材の保持位置の切り替えによって刺繍布押え部材が押え位置に設定された状態で、刺繍布押え部材が針棒の上昇動作に連動してホルダ部材に対し弾性部材の弾発力に抗して針棒を上回る上昇ストロークで上昇するように、刺繍布押え部材を駆動する駆動機構。【選択図】図３
2014204830.tif 000002
【特許請求の範囲】
【請求項１】
ミシンに設けられるミシン用刺繍布押え装置であって、
ミシン機枠に昇降可能に設けられ、ミシン針を着脱可能に保持する針棒と、
刺繍布を押えるための刺繍布押え部材と、
前記刺繍布押え部材を弾性部材を介して昇降可能に保持するホルダ部材と、
前記刺繍布押え部材が前記刺繍布を押える押え位置と前記刺繍布の押えを解除する押え解除位置とのいずれかに設定されるように、当該刺繍布押え部材を保持する前記ホルダ部材の保持位置を手動で切り替えるための押え上げ操作レバーと、
前記押え上げ操作レバーによる前記ホルダ部材の保持位置の切り替えによって前記刺繍布押え部材が前記押え位置に設定された状態で、当該刺繍布押え部材が前記針棒の上昇動作に連動して前記ホルダ部材に対し前記弾性部材の弾発力に抗して前記針棒を上回る上昇ストロークで上昇するように、当該刺繍布押え部材を駆動する駆動機構と、
を含む、ミシン用刺繍布押え装置。
【請求項２】
請求項１に記載の、ミシン用刺繍布押え装置であって、
前記駆動機構は、
前記刺繍布押え部材の上方において前記針棒の動作方向に交差して長尺状に延在し、一端部が支持軸を介して前記刺繍布押え部材に連結された作用部材と、
前記作用部材の上方において前記作用部材の他端部に対向するように前記ミシン機枠に設けられたストッパーと、
前記針棒の上昇動作時に前記作用部材の両端部間の中間領域に下方から係合し、前記ストッパーが前記作用部材の前記他端部に当接した状態で前記作動部材が前記他端部を中心として回転するように前記中間領域を上方へ付勢する係合部と、
を備える、ミシン用刺繍布押え装置。
【請求項３】
請求項２に記載の、ミシン用刺繍布押え装置であって、
前記作用部材が弾性体によって構成されている、ミシン用刺繍布押え装置。
【請求項４】
請求項２又は３に記載の、ミシン用刺繍布押え装置であって、
前記作用部材は、当該作用部材の前記一端部を中心とした回転を許容するヒンジ機構を介して前記支持軸に連結されている、ミシン用刺繍布押え装置。
【請求項５】
請求項１〜４のうちのいずれか一項に記載の、ミシン用刺繍布押え装置であって、
前記係合部は、前記針棒に前記ミシン針を装着するための針留めによって構成されている、ミシン用刺繍布押え装置。
【請求項６】
請求項１〜５のうちのいずれか一項に記載の、ミシン用刺繍布押え装置であって、
前記ミシンは、前記針棒の動作方向に交差して延在する水平面にて回転する外釜が一回転する間に前記ミシン針の針穴に挿通された上糸のループを水平方向に引っ張りつつ捕捉した後に規定の釜越え領域において当該捕捉を解除するように構成された水平釜機構を備え、
前記駆動機構は、前記外釜の回転位置が前記釜越え領域に達したときに前記刺繍布押え部材を駆動する、ミシン用刺繍布押え装置。
【発明の詳細な説明】
【技術分野】
【０００１】
本発明は、ミシンにおいて刺繍布を押えるためのミシン用刺繍布押え装置に関する。
【背景技術】
【０００２】
従来、例えば下記特許文献１〜４には、いずれも刺繍布押え装置を備えるミシンに関する技術が開示されている。引用文献１に記載のミシン用刺繍布押え装置では、刺繍布押え部材は、針棒によって保持されたミシン針が刺繍布を貫通している間は当該刺繍布を押える一方で、ミシン針が刺繍布から抜け出すときに針棒に連動して上昇して当該刺繍布の押えを解除する。引用文献２，３に記載のミシン用刺繍布押え装置は、押え上げ操作レバーの操作に連動して押え棒が上昇したときに、ホルダ部材に対して刺繍布押え部材を上昇させる機構を備えている。引用文献４に記載のミシンは、刺繍枠の移動可能期間に相当する位相信号を出力する構造を有する。
【先行技術文献】
【特許文献】
【０００３】
【特許文献１】実公昭６２−３２５４９号公報
【特許文献２】特許第４６２３４２３号公報
【特許文献３】特開昭５９−７７８９０号公報
【特許文献４】特開平５−２１２１７５号公報
【発明の概要】
【０００４】
（発明が解決しようとする課題）
ところで、この種のミシン用刺繍布押え装置の設計に際しては、厚手の刺繍布に対する刺繍作業や、刺繍布が張設された刺繍枠を手で動かす操作等を考慮した場合、刺繍布押え部材が刺繍布の押えを解除した後に当該刺繍布押え部材を極力高い位置まで速やかに上昇させたいという要請がある。また、ミシン針が刺繍布から抜け出した後で当該刺繍布がばたつくのを防止するために、刺繍布押え部材が刺繍布の押えを解除するタイミングを極力遅らせることによって刺繍布を押えている時間を長くしたいという要請がある。特に、針棒が動作する上下方向と交差する水平面にて外釜が回転する水平釜機構を搭載するミシンにおいては、外釜の回転時に上糸を介して刺繍布が水平方向に引っ張られ易い。そこで、水平釜機構を搭載するミシンの設計に際しては、針棒上下運動の１周期の間に刺繍布押え部材が刺繍布を押えている時間を長くすることができ、且つその後に当該刺繍布押え部材を所望の高さまで確実に上昇させることができる技術に対する要請が高い。
【０００５】
ここで、引用文献１に記載のミシン用刺繍布押え装置の場合、ミシン針が刺繍布から抜け出すときの針棒の上昇量と刺繍布押え部材の上昇量が一致している。従って、刺繍布押え部材を所望の高さまで上昇させようとすると刺繍布を押えている時間が短くなり、その反対に刺繍布を押えている時間を長くしようとすると今度は刺繍布押え部材を所望の高さまで上昇させることができない。かといって、引用文献２に記載のミシン用刺繍布押え装置のように、押え上げ操作レバーの操作に連動してホルダ部材に対して刺繍布押え部材が上昇する構造を採用する場合、ユーザは頻繁に押え上げ操作レバーを操作する必要があり操作が面倒であり、またユーザの手動操作が前提になるため刺繍布押え部材を速やかに上昇させるのに限界があり不利である。
【０００６】
そこで本発明は、上記の点に鑑みてなされたものであり、その目的の１つは、刺繍布を押えるための刺繍布押え部材が針棒の上昇動作に連動して上昇するミシン用刺繍布押え装置において、針棒上下運動の１周期の間に刺繍布押え部材が刺繍布を押えている時間を長くすることができ、且つ刺繍布の押えを解除した後に刺繍布押え部材を所望の高さまで上昇させることを可能にする技術を提供することである。
【０００７】
（課題を解決するための手段）
上記目的を達成するため、本発明に係るミシン用刺繍布押え装置は、ミシンに装着されるものであり、針棒、刺繍布押え部材、押え上げ操作レバー及び駆動機構を含む。針棒は、ミシン機枠に昇降可能に設けられミシン針を保持する。刺繍布押え部材は刺繍布を押える機能を果たす。ホルダ部材は、刺繍布押え部材を弾性部材を介して昇降可能に保持する機能を果たす。押え上げ操作レバーは、刺繍布押え部材が刺繍布を押える押え位置と刺繍布の押えを解除する押え解除位置とのいずれかに設定されるように、当該刺繍布押え部材を保持するホルダ部材の保持位置を手動で切り替える機能を果たす。駆動機構は、押え上げ操作レバーによるホルダ部材の保持位置の切り替えによって刺繍布押え部材が押え位置に設定された状態で、当該刺繍布押え部材が針棒の上昇動作に連動してホルダ部材に対し弾性部材の弾発力に抗して針棒を上回る上昇ストロークで上昇するように、当該刺繍布押え部材を駆動する。
【０００８】
上記のミシン用刺繍布押え装置によれば、針棒の上昇動作に連動して上昇する刺繍布押え部材の上昇ストロークを増やすことによって、針棒上下運動の１周期の間に刺繍布押え部材が刺繍布を押えている時間を長くしても、その後に刺繍布押え部材を所望の高さまで上昇させることができる。この場合、ミシン針が刺繍布から抜け出した後で当該刺繍布がばたつくのを防止して縫い品質を安定させるのに有効である。また、刺繍布押え部材が自動で所望の高さまで上昇するため、ユーザは押え位置に設定されている刺繍布押え部材を上昇させるために押え上げ操作レバーを一切操作する必要がなく、これによりユーザの煩雑さを解消することができる。
【０００９】
本発明に係る上記のミシン用刺繍布押え装置では、駆動機構は、作用部材、ストッパー及び係合部を備えるのが好ましい。作用部材は、刺繍布押え部材の上方において針棒の動作方向に交差して長尺状に延在し、一端部が支持軸を介して刺繍布押え部材に連結されている。ストッパーは、作用部材の上方において作用部材の他端部に対向するようにミシン機枠に設けられている。係合部は、針棒の上昇動作時に作用部材の両端部間の中間領域に下方から係合し、ストッパーが作用部材の他端部に当接した状態で作動部材が他端部を中心として回転するように中間領域を上方へ付勢する機能を果たす。即ち、作用部材はストッパーとの係合によって、所謂「てこの原理」によって、その他端部及びストッパーを支点（回転中心）として回転動作し、これにより作用部材がストッパーに係合した後では、刺繍布押え部材を短時間で急激に上昇させることができる。その結果、駆動機構を、部品点数を抑えた簡単且つ安価な構造によって実現できる。
【００１０】
本発明に係る上記のミシン用刺繍布押え装置では、作用部材が弾性体によって構成されているのが好ましい。これにより、作用部材の一端部を支持軸に固定する簡単な構造を採用した場合でも、作用部材の弾性変形によって当該作用部材を適正に回転動作させることができる。また、弾性体によって構成された作用部材は、その回転動作時に生じる音や振動を抑制するのに効果的である。
【００１１】
本発明に係る上記のミシン用刺繍布押え装置では、作用部材は、当該作用部材の一端部を中心とした回転を許容するヒンジ機構を介して支持軸に連結されているのが好ましい。これにより、作用部材を例えば金属材料や硬質樹脂材料のような剛体又は低弾性体によって構成した場合でも、当該作用部材に配したヒンジ機構を介して適正に回転動作させることができる。
【００１２】
本発明に係る上記のミシン用刺繍布押え装置では、係合部は、針棒にミシン針を装着するための針留めによって構成されているのが好ましい。この場合、針留めが係合部を兼務しているため、部品点数の更なる削減を図ることができる。
【００１３】
本発明に係る上記のミシン用刺繍布押え装置は、水平釜機構を備えるミシンに装着されるのが好ましい。この水平釜機構は、針棒の動作方向に交差して延在する水平面にて回転する外釜が一回転する間にミシン針の針穴に挿通された上糸のループを水平方向に引っ張りつつ捕捉した後に規定の釜越え領域において当該捕捉を解除するように構成される。そして、駆動機構は、外釜の回転位置が釜越え領域に達したときに刺繍布押え部材を駆動するのが好ましい。水平釜機構の場合、外釜の回転時に上糸を介して刺繍布が水平方向に引っ張られ易いが、このミシン用刺繍布押え装置によれば刺繍布押え部材が刺繍布を押えている時間を長くすることによって刺繍布がばたついたり上糸によって引っ張られたりするのを確実に防止して縫い品質の安定化を図ることができる。
【発明の効果】
【００１４】
以上のように、本発明によれば、刺繍布を押えるための刺繍布押え部材が針棒の上昇動作に連動して上昇するミシン用刺繍布押え装置において、針棒上下運動の１周期の間に刺繍布押え部材が刺繍布を押えている時間を長くすることができ、且つ刺繍布の押えを解除した後に刺繍布押え部材を所望の高さまで上昇させることが可能になった。
【図面の簡単な説明】
【００１５】
【図１】本実施の形態に係るミシン１０をユーザが位置する前方側から視た外観図である。
【図２】図１中の水平釜機構３０をボビン１９の装着状態にて斜め上方から視た斜視図である。
【図３】図１中の刺繍布押え装置４０を右側から視た側面図であり、ミシン針Ｎが刺繍布Ｗを貫通している状態を示している。
【図４】図３中の刺繍布押え装置４０において、針棒４１の上昇過程を示す図である。
【図５】針棒４１が図４の上昇位置にある場合の水平釜機構３０の平面図である。
【図６】図３中の刺繍布押え装置４０において、刺繍布押え部材４３の上昇ストロークが最大時の状態を示す図である。
【図７】図６中の作用部材４９の変更例を示す図である。
【発明を実施するための形態】
【００１６】
以下、本発明の実施形態を図面を参照しながら説明する。
【００１７】
図１には、本発明に係るミシン１０の外観が示されている。なお、この図１及び他の図面において、ミシン１０をユーザが位置する前方側から視た場合、ミシン１０の左方向を矢印Ｘで示す第１方向とし、ミシン１０の前方向を矢印Ｙで示す第２方向とし、ミシン１０の上方向を矢印Ｚで示す第３方向としている。
【００１８】
図１に示すように、ミシン１０は、刺繍枠に張られた刺繍布（加工布）に刺繍を施す刺繍加工と、刺繍枠を用いない通常の縫製加工の双方が可能である。このミシン１０は、ミシンベッド１１、ミシンアーム１２及び脚柱部１３に大別される。ミシンベッド１１は、脚柱部１３の一端部１３ａから第１方向Ｘに延出する部位である。ミシンアーム１２は、ミシンベッド１１の上方において脚柱部１３の他端部１３ｂからミシンベッド１１と平行に第１方向Ｘに延出する部位である。脚柱部１３は、ミシンベッド１１の一端部１１ａから第３方向Ｚに延出してミシンアーム１２の一端部１２ａに接続されている。
【００１９】
ミシンベッド１１の一端部１１ａには、ミシン１０の駆動源としてのミシンモータ１４が収容されている。ミシンアーム１２には、ミシンモータ１４の動力によってミシン針（図示省略）を第３方向Ｚに沿って上下動させるべく回転駆動される主軸１５が収容されている。脚柱部１３には、ミシンモータ１４の動力を主軸１５に伝達するための動力伝達機構（図示せず）が収容されている。
【００２０】
ミシンベッド１１の他端部１１ｂの上面１１ｃには針板２０が設けられている。また、この針板２０に開閉可能に設けられた針板蓋２１の下方には、下糸供給用のボビン１９を収容するための水平釜機構３０が設けられている。この水平釜機構３０は、図２が参照されるように、主軸１５の回転に連動して水平面にて回転する外釜３１と、この外釜３１に保持され且つボビン１９を着脱可能に収容するボビン収容部材としての内釜３４と、を備えている。外釜３１の円筒状の内釜収容部３２は、内釜３４を収容し、軸部３１ａの回転によって主軸１５と同期して水平面にて反時計まわりに回転する。また、内釜収容部３２の筒壁には、周方向に延出する先鋭状の剣先３３が設けられている。この剣先３３は、外釜３１が水平面にて一回転する間に、ミシン針（図３中のミシン針Ｎ）の針穴に挿通された上糸（ミシン糸）のループを水平方向に引っ張りつつ捕捉した後に規定の釜越え領域（図５中の釜越え領域３５）において当該捕捉を解除する。この場合、剣先３３は、上糸のループに内釜３４に収容されているボビン１９から繰り出された下糸を交差させて絡ませることによって、上糸及び下糸による縫い目を形成させる機能を果たす。
【００２１】
ミシンアーム１２の他端部１２ｂから下方へ突出するミシン頭部１２ｃには、ミシンベッド１１の針板２０に対向配置された刺繍布押え装置４０が設けられている。詳細な構造については後述するが、この刺繍布押え装置４０は、押え棒４７に連結された押え上げ操作レバー４８が下側位置に設定された状態で、刺繍布を押えるための刺繍布押え部材４３を針棒（図示せず）の上昇動作に連動して上昇させる機能を果たす。
【００２２】
図３に示すように、本発明の「ミシン用刺繍布押え装置」の一実施形態としての刺繍布押え装置４０は、針棒４１、刺繍布押え部材４３、ホルダ部材４６、押え棒４７、押え上げ操作レバー連動部材４８ａ、作用部材４９及びストッパー５０等を備えている。
【００２３】
針棒４１は、針留め４２によってミシン針Ｎを保持するとともに、ミシンアーム１２に固定されたミシン機枠１２ｄに昇降可能に設けられている。この針棒４１は、主軸１５の回転動作に伴って作動する針棒駆動機構（図示省略）によって上下方向に昇降動作する。刺繍布押え部材４３は、刺繍枠１に張られた刺繍布Ｗを押える機能を果たす。ホルダ部材４６は、押え棒４７を介して押え上げ操作レバー連動部材４８ａに連結されており、支持軸４４に連結された刺繍布押え部材４３を弾性部材４５を介して昇降可能に保持する。押え上げ操作レバー連動部材４８ａは押え上げ操作レバー４８に連動して動作する。ここでいう針棒４１、刺繍布押え部材４３及びホルダ部材４６がそれぞれ、本発明の「針棒」、「刺繍布押え部材」及び「ホルダ部材」に相当する。
【００２４】
押え上げ操作レバー４８は、刺繍布押え部材４３が刺繍布Ｗを押える押え位置と刺繍布Ｗの押えを解除する押え解除位置とのいずれかに設定されるように、当該刺繍布押え部材４３を保持するホルダ部材４６の保持位置を手動で切り替える機能を果たす。即ち、押え上げ操作レバー４８が上側位置から下向きに手動操作されると押え棒４７を介してホルダ部材４６が下側位置において刺繍布押え部材４３を保持する。この場合、刺繍布押え部材４３は下降して弾性部材４５の下向きの弾性付勢力によって刺繍布Ｗを押えることができる。また、弾性部材４５の弾性付勢力を上回る上向きの荷重が刺繍布押え部材４３に作用した場合には、この刺繍布押え部材４３はこの荷重によって上昇して刺繍布Ｗの押えを解除することができる。一方で、押え上げ操作レバー４８が下側位置から上向きに手動操作されると押え棒４７を介してホルダ部材４６が上側位置において刺繍布押え部材４３を保持する。この場合、刺繍布押え部材４３は上昇して刺繍布Ｗから離間する。この押え上げ操作レバー４８が本発明の「押え上げ操作レバー」に相当する。
【００２５】
作用部材４９は、刺繍布押え部材４３の上方において針棒４１の動作方向に交差して長尺状に延在する板状部材或いは棒状部材であり、一端部４９ａが支持軸４４を介して刺繍布押え部材４３に連結されている。図４が参照されるように、この作用部材４９は、針棒４１が第１の上昇位置Ｐ１（図４に示す位置）まで上昇したとき、その両端部間の中間領域４９ｂに針留め４２が下方から当接（係合）するため、それ以降は針留め４２によって係合保持され、弾性部材４５の弾性付勢力に抗して針棒４１と一体となって第１の上昇位置Ｐ１よりも上方へと上昇する。この場合、作用部材４９が上昇するとこの作用部材４９に支持軸４４を介して連結されている刺繍布押え部材４３も上昇するため、この刺繍布押え部材４３は刺繍布Ｗの押えを解除する押え解除位置に設定される。この押え解除位置では、ユーザは刺繍枠１を手で自由に動かすることによって刺繍布Ｗに所望の刺繍模様を形成することができる。
【００２６】
なお、針棒４１が図４中の第１の上昇位置Ｐ１にあるとき、図５が参照されるように、水平釜機構３０の外釜３１は、その剣先３３にて上糸ｔのループを水平方向に引っ張りつつ捕捉した状態でこの剣先３３が釜越え領域３５に近接した位置まで矢印Ｒ方向に回転している。この時点では、刺繍布押え部材４３は未だ刺繍布Ｗを押える押え位置に維持されており、ミシン針Ｎが刺繍布Ｗから抜け出した後であれば、この刺繍布Ｗはばたついたり上糸ｔによって引っ張られたりすることなく縫い品質が安定する。従って、本実施の形態によれば、剣先３３が上糸ｔの捕捉を解除する釜越え領域３５に達するまで、刺繍布押え部材４３が刺繍布Ｗを押えている時間をできるだけ長くすることができる。一方で、厚手の刺繍布Ｗに対する刺繍作業や、刺繍布Ｗが張設された刺繍枠１を手で動かす操作等を考慮した場合、刺繍布押え部材４３が刺繍布Ｗの押えを解除した後に当該刺繍布押え部材４３を極力高い位置まで速やかに上昇させたいという要請がある。
【００２７】
そこで、本実施の形態では、作用部材４９を弾性体によって構成し、且つミシン機枠１２ｄにこの作用部材４９に係合するストッパー５０を設けている。このストッパー５０は、作用部材４９の上方においてこの作用部材４９の他端部４９ｃに対向するように配置されている。この場合、針留め４２によって係合保持された作用部材４９が針棒４１と一体となって上昇する際、この作用部材４９の他端部４９ｃがストッパー５０の先端部に当接する。
【００２８】
図６が参照されるように、この作用部材４９と一体となって針棒４１更に第２の上昇位置Ｐ２（第１の上昇位置Ｐ１よりも上方の上死点付近）まで上昇するとき、作用部材４９は、ストッパー５０の先端部が他端部４９ｃに当接した状態で、その中間領域４９ｂが下方から針留め４２によって上方へ付勢される。このとき、作用部材４９は、所謂「てこの原理」によって、他端部４９ｃを回転中心として反時計回りに回転動作する。この場合、作用部材４９の他端部４９ｃ（及びストッパー５０の先端部）が「支点」になり、作用部材４９の中間領域４９ｂが「力点」になり、作用部材４９の一端部４９ａが「作用点」になる。従って、この作用部材４９では、針留め４２によって中間領域４９ｂ（力点）に加えられた小さな上昇動作を、一端部４９ａ（作用点）において大きな上昇動作に増幅することができる。即ち、作用部材４９がストッパー５０に当接した後では、針棒４１の直線的な上昇運動が刺繍布押え部材４３の直線的な増幅上昇運動に変換され、刺繍布押え部材４３を短時間で急激に上昇させることができる。
【００２９】
この場合、針留め４２、作用部材４９及びストッパー５０は、互いに協働することによって、刺繍布押え部材４３が針棒４１の上昇動作に連動してホルダ部材４６に対し弾性部材４５の弾発力に抗して針棒４１を上回る上昇ストロークで上昇するように、当該刺繍布押え部材４３を駆動する機能を果たす。従って、針留め４２、作用部材４９及びストッパー５０がそれぞれ本発明の「保持部」、「作用部材」及び「ストッパー」に相当し、またこれら針留め４２、作用部材４９及びストッパー５０によって、本発明の「駆動機構」が構成される。
【００３０】
この駆動機構によれば、ストッパー５０を用いない場合に比べて針棒４１に対する刺繍布押え部材４３の上昇度合いを高めることができる。その結果、針棒４１の上昇動作に連動して上昇する刺繍布押え部材４３の上昇ストローク（上昇量）を増やすことによって、針棒４１の上下運動１周期の間に刺繍布押え部材４３が刺繍布Ｗを押えている時間を長くしても、その後に刺繍布押え部材４３を所望の高さまで上昇させることができる。この場合、ミシン針Ｎが刺繍布Ｗから抜け出した後で当該刺繍布Ｗがばたついたり上糸ｔによって引っ張られたりするのを防止して縫い品質の安定化を図るのに有効である。また、刺繍布押え部材４３が自動で所望の高さまで上昇するため、ユーザは押え位置に設定されている刺繍布押え部材４３を上昇させるために押え上げ操作レバー４８を一切操作する必要がなく、これによりユーザの煩雑さを解消することができる。また、駆動機構を、部品点数を抑えた簡単且つ安価な構造によって実現できる。
【００３１】
また上記の駆動機構によれば、作用部材４９を弾性体によって構成したため、作用部材４９の一端部４９ａを支持軸４４に固定する簡単な構造を採用した場合でも、作用部材４９の弾性変形によって当該作用部材４９を適正に回転動作させることができる。また、弾性体によって構成された作用部材４９は、その回転動作時に生じる音や振動を抑制するのに効果的である。
【００３２】
また上記の駆動機構によれば、針棒４１にミシン針Ｎを装着するための針留め４２が、作用部材４９の中間領域４９ｂに係合する係合部を兼務するため、部品点数の更なる削減を図ることができる。
【００３３】
本実施の形態では、作用部材４９を弾性体によって構成したが、この作用部材４９を金属材料や硬質樹脂材料のような剛体又は低弾性体によって構成することもできる。この場合、作用部材４９は、当該作用部材の一端部４９ａ（回転軸６１）を中心とした回転を許容するヒンジ機構６０を介して支持軸４４に連結されている。特に、作用部材４９が水平方向に延在する初期位置に設定された状態から一端部４９ａを中心として下側領域のみで回転するように、ヒンジ機構６０が構成されている。これにより、作用部材４９を例えば金属材料や硬質樹脂材料のような剛体又は低弾性体によって構成した場合でも、当該作用部材４９に配したヒンジ機構６０を介して適正に回転動作させることができる。勿論、作用部材４９を弾性体によって構成した場合にこのヒンジ機構６０を採用することもできる。
【００３４】
本発明は、上記の典型的な実施形態のみに限定されるものではなく、種々の応用や変形が考えられる。例えば、上記実施の形態を応用した次の各形態を実施することもできる。
【００３５】
上記実施の形態では、針棒４１にミシン針Ｎを装着するための針留め４２が、作用部材４９の中間領域４９ｂに係合する係合部を兼務する場合について記載したが、本発明では針留め４２以外の部位を、作用部材４９の中間領域４９ｂに係合する係合部として採用することもできる。この場合、係合部と作用部材４９の中間領域４９ｂとの係合形態として、当接以外に、嵌合、クランプ、吸着等、種々の形態を採り得る。
【００３６】
また上記実施の形態では、針棒４１の直線的な上昇運動を作用部材４９の「てこの原理」を利用して刺繍布押え部材４３の直線的な増幅上昇運動に変換する場合について記載したが、本発明では、針棒４１の直線的な上昇運動を刺繍布押え部材４３の直線的な増幅上昇運動に変換することができれば、その間の動力変換機構については「てこの原理」を利用した上記実施の形態に限定されない。例えば、この動力変換機構として、歯車（ギヤ）、摩擦車、ベルト部材、カム部材、リンク部材、クランク部材等の構成要素のうち、少なくとも１つを採用することもできる。
【００３７】
また上記実施の形態では、水平面にて外釜が回転する水平釜機構を搭載するミシン１０に設けられる刺繍布押え装置４０について記載したが、外釜が垂直面にて回転する垂直釜機構を搭載するミシンの刺繍布押え装置に本発明を適用することもできる。
【００３８】
また上記の実施形態や種々の変更例の記載に基づいた場合、本発明では以下の各態様（アスペクト）を採り得る。
【００３９】
本発明では、「ミシン機枠に昇降可能に設けられ、ミシン針を着脱可能に保持する針棒と、刺繍布を押えるための刺繍布押え部材と、前記刺繍布押え部材を弾性部材を介して昇降可能に保持するホルダ部材と、前記刺繍布押え部材が前記刺繍布を押える押え位置と前記刺繍布の押えを解除する押え解除位置とのいずれかに設定されるように、当該刺繍布押え部材を保持する前記ホルダ部材の保持位置を手動で切り替えるための押え上げ操作レバーと、前記押え上げ操作レバーによる前記ホルダ部材の保持位置の切り替えによって前記刺繍布押え部材が前記押え位置に設定された状態で、当該刺繍布押え部材が前記針棒の上昇動作に連動して前記ホルダ部材に対し前記弾性部材の弾発力に抗して前記針棒を上回る上昇ストロークで上昇するように、当該刺繍布押え部材を駆動する駆動機構と、を含む、ミシン。」という態様（態様１）を採り得る。
この態様１のミシンによれば、針棒の上昇動作に連動して上昇する刺繍布押え部材の上昇ストロークを増やすことによって、針棒上下運動の１周期の間に刺繍布押え部材が刺繍布を押えている時間を長くしても、その後に刺繍布押え部材を所望の高さまで上昇させることができる。
【００４０】
また本発明では、「態様１に記載のミシンであって、前記駆動機構は、前記刺繍布押え部材の上方において前記針棒の動作方向に交差して長尺状に延在し、一端部が支持軸を介して前記刺繍布押え部材に連結された作用部材と、前記作用部材の上方において前記作用部材の他端部に対向するように前記ミシン機枠に設けられたストッパーと、前記針棒の上昇動作時に前記作用部材の両端部間の中間領域に下方から係合し、前記ストッパーが前記作用部材の前記他端部に当接した状態で前記作動部材が前記他端部を中心として回転するように前記中間領域を上方へ付勢する係合部と、を備える、ミシン。」という態様（態様２）を採り得る。
この態様２のミシンによれば、針棒の上昇動作に連動して針棒に対する刺繍布押え部材の上昇ストロークを増やす機構を、部品点数を抑えた簡単且つ安価な構造によって実現できる。
【００４１】
また本発明では、「態様２に記載のミシンであって、前記作用部材が弾性体によって構成されている、ミシン。」という態様（態様３）を採り得る。
この態様３のミシンによれば、作用部材の弾性変形によって当該作用部材を適正に回転動作させることができ、また作用部材の回転動作時に生じる音や振動を抑制するのに効果的である。
【００４２】
また本発明では、「態様２又は３に記載のミシンであって、前記作用部材は、当該作用部材の前記一端部を中心とした回転のみを許容するヒンジ機構を介して前記支持軸に連結されている、ミシン。」という態様（態様４）を採り得る。
この態様４のミシンによれば、作用部材を例えば金属材料や硬質樹脂材料のような剛体又は低弾性体によって構成した場合でも、当該作用部材をヒンジ機構を介して適正に回転動作させることができる。
【００４３】
また本発明では、「態様１〜４のうちのいずれかに記載のミシンであって、前記係合部は、前記針棒に前記ミシン針を装着するための針留めによって構成されている、ミシン。」という態様（態様５）を採り得る。
この態様５のミシンによれば、針留めが係合部を兼務しているため、部品点数の更なる削減を図ることができる。
【００４４】
また本発明では、「態様１〜５のうちのいずれかに記載のミシンであって、前記針棒の動作方向に交差して延在する水平面にて回転する外釜が一回転する間に前記ミシン針の針穴に挿通された上糸のループを水平方向に引っ張りつつ捕捉した後に規定の釜越え領域において当該捕捉を解除するように構成された水平釜機構を備え、前記駆動機構は、前記外釜の回転位置が前記釜越え領域に達したときに前記刺繍布押え部材を駆動する、ミシン。」という態様（態様６）を採り得る。
この態様６のミシンによれば、水平釜機構を備える場合であっても、刺繍布押え部材が刺繍布を押えている時間を長くすることによって刺繍布がばたついたり上糸によって引っ張られたりするのを確実に防止することができる。
【符号の説明】
【００４５】
１…刺繍枠、１０…ミシン、１１…ミシンベッド、１１ａ…一端部、１１ｂ…他端部、１１ｃ…上面、１２…ミシンアーム、１２ａ…一端部、１２ｂ…他端部、１２ｃ…ミシン頭部、１２ｄ…ミシン機枠、１３…脚柱部、１３ａ…一端部、１３ｂ…他端部、１４…ミシンモータ、１５…主軸、１６…動力伝達機構、１９…ボビン、２０…針板、２１…針板蓋、２３…ハンドプーリ、３０…水平釜機構、３１…外釜、３１ａ…軸部、３２…内釜収容部、３３…剣先、３４…内釜、３５…釜越え位置、４０…刺繍布押え装置、４１…針棒、４２…針留め、４３…刺繍布押え部材、４４…支持軸、４５…弾性部材、４６…ホルダ部材、４７…押え棒、４８…押え上げ操作レバー、４８ａ…押え上げ操作レバー連動部材、４９…作用部材、４９ａ…一端部、４９ｂ…中間領域、４９ｃ…他端部、５０…ストッパー、６０…ヒンジ機構、６１…回転軸、Ｎ…ミシン針、Ｗ…刺繍布
【図１】
2014204830.tif 000003
【図２】
2014204830.tif 000004
【図３】
2014204830.tif 000005
【図４】
2014204830.tif 000006
【図５】
2014204830.tif 000007
【図６】
2014204830.tif 000008
【図７】
2014204830.tif 000009